(57)【要約】  この発明は、特に患者の口腔内の歯科処置を実施するためのフィルム引張要素を備え、それが前庭リング（１４）と口唇リング（１２）を備えていて、それらの間および場合によってそれらを超えてフィルム（１６）が延在する。フィルムがそれらのリングによって引張され、その際前記フィルム（１６）とリングが弾力的に変形可能であり、実質的に楕円形状に圧縮可能である。本発明の独自の特徴は、前記前庭リング（１４）が少なくとも１つの周囲部分にセットバックを備え、それの幅が小帯の幅より大きくかつ前庭リング（１４）の半径よりも小さいことである。【選択図】図１
2017522954.tif 000002
【特許請求の範囲】
【請求項１】
前庭リング（１４）と口唇リング（１２）を備えていて、それらの間および場合によってそれらを超えて、それらのリングによって引張されるフィルム（１６）が延在し、その際フィルム引張要素の上面と下面の間に応力を付加することによって前記フィルム（１６）とリングが弾力的に変形可能であり、さらにその際前庭リング（１４）が上面およびそれに対向する下面を押し合わせることによって実質的に楕円形状に圧縮し得る、特に患者の口腔内の歯科処置を実施するためのフィルム引張要素であって、前記前庭リング（１４）が少なくとも１つの周囲部分、特に上面および／または下面上にセットバックを備え、それの幅が小帯の幅より大きくかつ前庭リング（１４）の半径よりも小さいことを特徴とするフィルム引張要素。
【請求項２】
少なくとも１個のセットバック、特に周回上で対向する２個のセットバック（１８および２０）が形成され、それらが０．５ｃｍないし３ｃｍ、特に約１ｃｍの幅を有してなる請求項１記載のフィルム引張要素。
【請求項３】
前庭リング（１４）がセットバックに接続する領域内に特に緩衝された隆起部（２６，２８，３０，３２）を備え、楕円形状を生じさせる応力が実質的に相互に対向するセットバック（１８，２０）と隆起部（２６，２８；３０，３２）の間に作用してそれらを相互に押圧することを特徴とする請求項１または２記載のフィルム引張要素。
【請求項４】
前庭リング（１４）が特に可塑性に変形可能でもある材料を含み、それが室温下において弾力性にまた３７℃においては少なくともさらに可塑性に変形可能であることを特徴とする請求項１ないし３のいずれかに記載のフィルム引張要素。
【請求項５】
前庭リング（１４）が乾燥状態において専らあるいは殆ど専ら弾力性に変形可能であって、湿潤状態においては特にさらに可塑性に変形可能であることを特徴とする請求項１ないし４のいずれかに記載のフィルム引張要素。
【請求項６】
前庭リング（１４）が膨潤性の材料を含むことを特徴とする請求項１ないし５のいずれかに記載のフィルム引張要素。
【請求項７】
前庭リング（１４）が湿気を透過させる薄膜を有する遮蔽材を備え、前記薄膜中の前庭リング（１４）の領域内に吸湿部材が配置されることを特徴とする請求項１ないし６のいずれかに記載のフィルム引張要素。
【請求項８】
前庭リング（１４）が少なくとも１つの光および／または熱重合性の材料を含むことを特徴とする請求項１ないし７のいずれかに記載のフィルム引張要素。
【請求項９】
前庭リング（１４）が可逆的に変形可能であって、特に可塑性の変形に際しても部分的に弾力的にリバウンドすることを特徴とする請求項１ないし８のいずれかに記載のフィルム引張要素。
【請求項１０】
前庭リング（１４）が少なくとも１個の中空部材（５２）を備え、それが特にバルブおよびハンドポンプを使用して空気充填可能であることを特徴とする請求項１ないし９のいずれかに記載のフィルム引張要素。
【請求項１１】
前庭リング（１４）が水等の液体で充填可能であって、一種のウォーターベッドのような柔軟性の中空部材（５２）を備えることを特徴とする請求項１ないし１０のいずれかに記載のフィルム引張要素。
【請求項１２】
吸収性であるとともに液体を吸収した際に膨潤可能である材料を含んだクッションを、前庭リング（１４）が備えることを特徴とする請求項１ないし１１のいずれかに記載のフィルム引張要素。
【請求項１３】
前庭リング（１４）が発泡材あるいはその他の柔軟性材料を有するクッションを備えることを特徴とする請求項１ないし１２のいずれかに記載のフィルム引張要素。
【請求項１４】
前庭リング（１４）が、液体を外側から内側に透過させるとともに内側から外側に向かっては遮断する薄膜によって被覆されたクッションを備えることを特徴とする請求項１ないし１３のいずれかに記載のフィルム引張要素。
【請求項１５】
前庭リング（１４）を始点にしてフィルム引張要素（１０）から離間する方向に延在する舌抑えつけ具が前庭リング（１４）上に成形されることを特徴とする請求項１ないし１４のいずれかに記載のフィルム引張要素。
【請求項１６】
フィルム（１６）上あるいは前庭リング（１４）上あるいは口唇リング（１２）上で半径方向内側に向かって患者の舌のための遊び要素が取り付けられ、それが刺激によって舌を引きつけるために設定されることを特徴とする請求項１ないし１５のいずれかに記載のフィルム引張要素。
【請求項１７】
リング、特に楕円形に変形された前庭リング（１４）が、半径方向外側に向かって作用する引張力を強化あるいは減衰するために少なくとも１個の平坦化部分あるいは湾曲部を少なくとも１つの所与の位置上に非対称式に備えることを特徴とする請求項１ないし１６のいずれかに記載のフィルム引張要素。
【請求項１８】
前庭リング（１４）が断面において非円形に形成されていて、特にリング軸に対して斜めに延在していて面取りされた角部を有する実質的に四角形あるいは台形の断面を有し、それが特に少なくとも半径方向外側に向かって緩衝されることを特徴とする請求項１ないし１７のいずれかに記載のフィルム引張要素。
【請求項１９】
前庭リング（１４）のクッションとしてフィルム（１６）の膨隆部が形成されることを特徴とする請求項１ないし１８のいずれかに記載のフィルム引張要素。
【請求項２０】
フィルム（１６）が前庭リング（１４）に対して摺動不可能に保持されていて、その前庭リングを少なくとも２分の１、好適には約４分の３あるいは完全に被包することを特徴とする請求項１ないし１９のいずれかに記載のフィルム引張要素。
【請求項２１】
前庭リング（１４）が帯形状に形成され、帯の長軸がリング（１４）の軸（２２）に対して４５°あるいはそれ未満の角度をもって延在し、また前記帯が本質的な前庭リング（１４）に比べて軟質の材料からなるクッションによって包囲されることを特徴とする請求項１ないし２０のいずれかに記載のフィルム引張要素。
【請求項２２】
前庭リング（１４）ならびに、特にさらに口唇リング（１２）が調節装置を備えていて、それを介してリングの長さと、さらにその結果リングによって引張される開口窪みの大きさが変更可能になることを特徴とする請求項１ないし２１のいずれかに記載のフィルム引張要素。
【請求項２３】
フィルム（１６）のための予引張コルセットあるいは舌抑えつけコルセットが少なくとも部分的に前庭リング（１４）と口唇リング（１２）の間に延在し、従ってフィルム（１６）の形状が挿入された状態の目標形状に近似するものとなることを特徴とする請求項１ないし２２のいずれかに記載のフィルム引張要素。
【発明の詳細な説明】
【技術分野】
【０００１】
この発明は、請求項１前段に記載のフィルム引張要素に関する。
【背景技術】
【０００２】
この種のフィルム引張要素は、患者の口腔内の歯科処置に際して患者の口への自由なアクセスを可能にするために、１０年近く前から有効に利用されている。それは前庭リングと口唇リングからなり、その間にフィルムが延在する。この要素によれば、フィルムが両方のリングに対して摺動可能に取り付けられて弾力性になっている。アレルギー反応を防止するためにラテックスフリーに製造される。
【０００３】
フィルムの折り返しによってそのフィルムが自律的に保持されることが確立される。
【０００４】
しかしながら、誤操作により幾分小さな前庭リングを超えてフィルムが滑り動く危険性が有り、その結果フィルム引張要素の機能が損なわれる可能性が有る。
【発明の概要】
【発明が解決しようとする課題】
【０００５】
従って本発明の目的は、より改善されていて操作性が良好でありかつ口に適合し易い、請求項１前段に記載のフィルム引張要素を提供することである。
【課題を解決するための手段】
【０００６】
前記の課題は本発明に従って請求項１によって解決される。従属請求項によって好適な追加構成が定義される。
【０００７】
本発明によれば、前庭リング上でフィルムが正確に均一な輪郭を有しておらず、むしろ特定かつ好適には狭い部位においてセットバックを有することが極めて好適である。例えば、小帯の領域を後退させ、その小帯を囲む前庭リングの領域がクッションを備えるようにすることができる。そのクッションが同時にその位置におけるフィルムの固定のために機能することもでき、それによってフィルムが不要に前庭リングを超えて引張して破裂することを防止することができる。
【０００８】
それにもかかわらず、（一般的により大きなものである）口唇リングにわたったフィルムの張力によって三次元の適合性と変形性が意外なほど容易に提供され、本発明に係る防護機能が確実に保証される。小帯の側方のクッションはフィルムの遮蔽材として形成することができ、それが前庭リングを超えて延在してそこで本質的な前庭リングと比べて快適な装着フィーリングを提供する。患者が強制的に口を塞がれる間隔を覚えることなく、患者の口が前庭部で柔らかく押圧される。
【０００９】
本発明によれば、フィルムの上面および下面に接合する唇に目標を定めて圧力が付加されるが、前庭部における柔らかいクッション支承のため前記圧力が患者に与える不快感が意外なほど少なくなる。他方、頬および口尻の領域内の圧力は顕著に小さくなり、例えば１桁小さくなる。
【００１０】
本発明によれば、前述の措置の組合せによって周知の解決方式に比べて実質的に同じくらいの弾力性の前庭リングを使用するにもかかわらず装着快適性が顕著に改善され、さらに追加的に前庭リングからフィルムが滑り落ちる危険が防止される。
【００１１】
さらに、クッションの領域内の追加弾力性のため折り曲げ防止の観点において弾力性の前庭リングの負荷が小さくなり；すなわち本発明によればクッションの柔軟性の方が前庭リングの柔軟性に比べて大きくなる。
【００１２】
本発明の好適な構成形態によれば、本質的な前庭リングを小帯の領域内、すなわち相互に対向する部位で、半径方向内側に湾曲して変形させることができる。しかしながら変更した構成形態によれば、セットバック領域の側方に弾力性および／または可塑性に変形可能に形成することができる隆起部を形成すれば充分である。
【００１３】
本発明によれば、多様な種類のクッションが考えられる。すなわち、温度変形性あるいは湿度変形性によって、本発明の適用に際して初めて所要の変形性を活性化するために、口腔内の生理的要件、すなわち湿度および／または温度を利用することができる。また、単一方向のみにおいて液体を通過させ逆方向では遮断する薄膜をクッションが備えることもできる。それによって液体吸収が保証され、それにより例えば薄膜内に吸着部材を配置することによって同時に前庭リングのクッション性が確立される。それが、幾らかより硬質の本質的な前庭リングを外側に向かって緩衝する。
【００１４】
クッション領域を中空部材として形成するか、および／またはそれを圧力について重要な部分のみに延在させることも可能である。例えば、適宜なクッション部材が（小帯の領域に相当する）中心部から約１ｃｍ離間して例えば１ｃｍないし３ｃｍにわたって、特に約２ｃｍにわたって延在することができる。
【００１５】
その場合、前庭リングの側方領域はクッション部材が存在しなくなり、そのためクッション領域よりもさらに幾らか弾力性になる。
【００１６】
その際、中空部材には水等の液体、空気、あるいはスポンジ等の吸収性材料を充填することができ、また使用者の操作によって所要の内圧に調節するかあるいは先に所与の内圧に予設定することができる。液体充填の場合、該当する中空部材を極部分的に充填することによってウォーターベッド効果を実現することもできる。その場合、前庭部内の接合面に対する最適な適合かつ冷却効果が達成される。
【００１７】
さらに、本質的な前庭リングを非円形に構成する際にその前庭リングの異なった放射位置上で硬度を精密に固定することによって所要の弾性力を設定することができ、また弾力的な変形性に加えて可塑性の変形性を実現することも可能である。
【００１８】
変更された構成形態によれば、前庭リングを楕円形に平坦化して変形することもできる。
【００１９】
本発明のその他の詳細、特徴、ならびに利点は、添付図面を参照しながら以下に記述する複数の実施例の説明によって明らかにされる。
【図面の簡単な説明】
【００２０】
【図１】フィルム引張要素の一実施形態を示した立体図である。
【図２】本発明に係るフィルム引張要素の別の実施形態を同様に立体的に示した説明図である。
【図３】本発明に係るフィルム引張要素の第３の実施形態を示した立体図である。
【図４】本発明に係るフィルム引張要素の別の実施形態の細部を示した説明図である。
【図５】本発明に係るフィルム引張要素の別の実施形態を示した立体図である。
【図６】本発明に係るフィルム引張要素の別の実施形態を概略的に示した側面図である。
【図７】本発明に係るフィルム引張要素のさらに別の実施形態を示した側面図である。
【図８】本発明に係るフィルム引張要素の別の実施形態を示した上面図である。
【図９】本発明に係るフィルム引張要素の別の実施形態の細部を示した断面図である。
【図１０】本発明に係るフィルム引張要素の別の実施形態を示した上面図である。
【発明を実施するための形態】
【００２１】
図１のフィルム引張要素１０は、口唇リング１２と前庭リング１４を備える。それらの間でフィルム１６が、図１に示された実施例においては前庭リング１４上と口唇リング１２上の両方で固定される。
【００２２】
変更された実施形態によれば、フィルム１６が前庭リング１４上で固定的に取り付けられるが、周知の方式で口唇リング１２を介して折り返され、従って３次元の摺動性と変形性が実現される。
【００２３】
図１から、口唇リング１２の形状と前庭リング１４の形状が円形から顕著に逸脱していて円形に対して楕円／三角形状に変形されていることが明らかである。両方のケースとも閉鎖式のリング形状に係る。
【００２４】
この実施形態において基本的にフィルム１６は柔軟性である。従ってそれは、前庭リング１４と口唇リング１２の間の引張力無しでは崩壊する。
【００２５】
別の好適な実施形態において、一種の軟質な支承コルセットを設けることができ、それがフィルム１６内に埋め込まれていてリング１２および１４を離間させて保持するか、またはフィルム１６を目標形状に引張させる。その支承コルセットは適宜に柔らかく設定され、それによってフィルムに対して唇で圧力がかけられた際に容易かつ顕著な抵抗無しに唇に適合するようにフィルムを変形させ従って前庭リング１４と口唇リング１２がフィルム１６の変形下で幾分相互に接近移動するか、あるいはフィルムが既に目標形状を保持する。
【００２６】
前庭リング１４は本発明に従って特別な方式で形成される。それは２個のセットバック１８および２０を有する。それらは相互に対向して配置され、前庭中で小帯が延在する部位内に挿入されるように設計される。その部位で前庭リング１４がフィルム引張要素１０の軸２２に向かって延在するように湾曲し、それによって前庭リング１４の硬質の部分が小帯と接触することが防止される。そのためセットバックの度合は少なくとも数ｍｍ、例えば５ｍｍとされる。
【００２７】
セットバックの効果をさらに強化するとともに装着快適性を改善するために、セットバック１８および２０の側方に隆起部２６，２８，３０および３２が設けられる。隆起部２６ないし３０は前庭リング１４のクッションとして機能する。それらは本質的な前庭リング１４と比べてより軟質の材料からなるとともに、その前庭リングを軸２２に関して少なくとも放射外側方向および軸平行方向において包囲する。そのことは図１に示されている。
【００２８】
隆起部２６ないし３２はクッションとして機能するとともに、本質的な前庭リングに対して幾分、例えば３ｍｍ突出する。
【００２９】
それらはセットバック領域１８および２０の側方に数ｃｍにわたって延在するが、側方領域３４，３６は露出させ従ってそれらが障害なく収縮し得るようにする。
【００３０】
従って前庭リング１４の弾性抵抗は側方領域３４および３６内で最も小さくなり、またクッション２６ないし３２の領域とセットバック１８および２０の領域の両方において側方領域より大きくなる。
【００３１】
前庭リング１４の解放された状態における楕円あるいは緩やかな三角形の形状が、前庭リング１４を前庭内に挿入する際の柔軟かつ弾力的な変形を可能にする。クッション２６ないし３２によって装着快適性が顕著に向上し、さらに患者が口内への異物の挿入のため該当する領域を舌で触った場合でもフィルム１６は前庭リング１４から離脱しない。
【００３２】
口唇リング１２は方向決め突起部４０および４２を備える。それらは患者の上顎に対応させるべきであり、また例えば識別記号あるいは製造者記号を備えることができる。それらは軸２２に対して横断方向に口唇リング１２から外に向かって延在するものであって、フィルム１６が口唇リング１２を介して折り曲げられてそのリングに対して可動になっているものではなくリング上に固定されるような実施形態において設けられる。
【００３３】
本発明に係るフィルム引張要素１０の別の実施形態が図２によって示されている。そこに、一様な材料からなる統合型の前庭リング１４が延在し、その中に所要の輪郭が形成されている。そこで使用される材料は軟質であって前庭リング１４の硬質成分を完全に包囲する。他方で全体型クッション５０が前庭リング１４の硬質材料と患者の前庭の間の接触を防止するが、それにもかかわらずセットバック１８および２０と隆起部２６ないし３２の実現は可能にする。クッション５０の緩衝材は任意の適宜な方式で噴射成形によって前庭リング１４上あるいはフィルム１６上に塗付することができる。
【００３４】
図３の実施形態によれば、クッション２６ないし３２として中空部材５２が設けられる。この実施例において中空部材５２は、例えばダックビル弁を使用しハンドポンプを介して膨張させることができる。それによって前庭リング１４の装着快適性がさらに向上する。
【００３５】
図４により、前庭リング１４上に中空部材５２をどのように形成し得るかがさらに示されている。前庭リング１４は３側面において緩衝材５０によって被包される。その緩衝材が他方で中空部５２を被包する。
【００３６】
図示された実施例において中空部５２がスポンジ等の吸収性材料によって充填される。患者の口内においても自動的に起こり得る液体の給入に際して、吸収性材料５４が膨潤し従って前庭リング１４のクッション効果を高める。
【００３７】
図５の実施形態において、セットバック１８および２０から距離置きそれらの側方に隣接している４個の部位２６ないし３２において前庭リング１４が吸収性材料によって被覆される。それが液体接触によって自動的に容積を拡大し、従って柔軟に緩衝しながら周囲、すなわち前庭に適合する。
【００３８】
図６の実施形態において、抑えつけ具６０が前庭リング１４上に成形される。それによって患者の舌を処置の間固定し処置領域から離間させることが可能になる。
【００３９】
以下の記述においても、上述と同一あるいは同等な構成要素は同じ参照符号を付して呼称され、従って繰り返しの説明が省略される。
【００４０】
図７の実施形態において、遊び部材７４および７６が前庭リング１４上に成形される。それが舌を刺激して舌がそれと接触しているようにし、従っていわば遊ばせるようにして舌を処置領域から離間させる。
【００４１】
図８に示されているように、この実施形態において前庭リング１４の非対称形の具現化を実施することも可能である。例えば、口あるいは舌の特定の領域がより小さな開口しか必要としない場合、その部分で前庭リング１４が半径方向にさらに後退することによって患者のリラックスを達成することができる。従って長時間の開口においても患者の不快感がより少なくなり、それによってさらに本発明に係るフィルム引張要素１０の順応性および患者による忍容性に寄与する。
【００４２】
そのため前庭リングが単純に内部膨張部８０および８２を備え、そこで前庭リングはクッションの領域、すなわち側方領域３６から離間して、内側に向かって緩やかに湾曲する。
【００４３】
図９により、前庭リング１４が非円形の断面、例えば帯形状に形成し得ることが示されている。図示された実施例において、前庭リングの長軸が外側に向かって傾斜して延在し、また前庭リング１４の断面は面取りされた角を有する実質的な四角形となる。前庭リングは台形にすることもできるが、その際クッション５０が常にリング硬質成分１４を特に半径方向外側に向かって（矢印９０）大容量で包囲することが重要である。
【００４４】
別の実施形態によれば、前庭リング１４の長さが調節可能にされる。それによって同じフィルム引張要素１０を使用して多数の異なった患者のサイズをカバーすることが可能になり、例えば子供もカバーすることができる。調節性は任意の適宜な方式によって実現することができ、図１０によれば例えばローレット頭ネジが設けられる。
【００４５】
それに代えて前庭リング１４がそのリング形内に重なり領域を備えることもでき、そして前庭リングの末端を相互に摺動可能であるが柔軟に支承させることができる。
【００４６】
前庭リングが末端にスナップイン部材を備え、また他方の端部にスナップイントングを備えることも可能であり、それらが相互に対向していてそれによって適宜な方式でかつ固定可能に長さを調節することができる。ここでその固定は、嵌め合い式に代えて必要に応じて単に摩擦固定によって実施することもできる。
【図１】
2017522954.tif 000003
【図２】
2017522954.tif 000004
【図３】
2017522954.tif 000005
【図４】
2017522954.tif 000006
【図５】
2017522954.tif 000007
【図６】
2017522954.tif 000008
【図７】
2017522954.tif 000009
【図８】
2017522954.tif 000010
【図９】
2017522954.tif 000011
【図１０】
2017522954.tif 000012
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
前庭リング（１４）と口唇リング（１２）を備えていて、それらの間および場合によってそれらを超えて、それらのリングによって引張されるフィルム（１６）が延在し、その際フィルム引張要素の上面と下面の間に応力を付加することによって前記フィルム（１６）とリングが弾力的に変形可能であり、さらにその際前庭リング（１４）が上面およびそれに対向する下面を押し合わせることによって実質的に楕円形状に圧縮し得る、特に患者の口腔内の歯科処置を実施するためのフィルム引張要素であって、
前記前庭リング（１４）が少なくとも１つの周囲部分、特に上面および／または下面上にセットバックを備え、それの幅が小帯の幅より大きくかつ前庭リング（１４）の半径よりも小さくなり、また、
フィルム（１６）のための予引張コルセットあるいは舌抑えつけコルセットが少なくとも部分的に前庭リング（１４）と口唇リング（１２）の間に延在し、従ってフィルム（１６）の形状が挿入された状態の目標形状に近似するものとなること、
を特徴とするフィルム引張要素。
【請求項２】
少なくとも１個のセットバック、特に周回上で対向する２個のセットバック（１８および２０）が形成され、それらが０．５ｃｍないし３ｃｍ、特に約１ｃｍの幅を有してなる請求項１記載のフィルム引張要素。
【請求項３】
前庭リング（１４）がセットバックに接続する領域内に特に緩衝された隆起部（２６，２８，３０，３２）を備え、楕円形状を生じさせる応力が実質的に相互に対向するセットバック（１８，２０）と隆起部（２６，２８；３０，３２）の間に作用してそれらを相互に押圧することを特徴とする請求項１または２記載のフィルム引張要素。
【請求項４】
前庭リング（１４）が特に可塑性に変形可能でもある材料を含み、それが室温下において弾力性にまた３７℃においては少なくともさらに可塑性に変形可能であることを特徴とする請求項１ないし３のいずれかに記載のフィルム引張要素。
【請求項５】
前庭リング（１４）が乾燥状態において専らあるいは殆ど専ら弾力性に変形可能であって、湿潤状態においては特にさらに可塑性に変形可能であることを特徴とする請求項１ないし４のいずれかに記載のフィルム引張要素。
【請求項６】
前庭リング（１４）が膨潤性の材料を含むことを特徴とする請求項１ないし５のいずれかに記載のフィルム引張要素。
【請求項７】
前庭リング（１４）が湿気を透過させる薄膜を有する遮蔽材を備え、前記薄膜中の前庭リング（１４）の領域内に吸湿部材が配置されることを特徴とする請求項１ないし６のいずれかに記載のフィルム引張要素。
【請求項８】
前庭リング（１４）が少なくとも１つの光および／または熱重合性の材料を含むことを特徴とする請求項１ないし７のいずれかに記載のフィルム引張要素。
【請求項９】
前庭リング（１４）が可逆的に変形可能であって、特に可塑性の変形に際しても部分的に弾力的にリバウンドすることを特徴とする請求項１ないし８のいずれかに記載のフィルム引張要素。
【請求項１０】
前庭リング（１４）が少なくとも１個の中空部材（５２）を備え、それが特にバルブおよびハンドポンプを使用して空気充填可能であることを特徴とする請求項１ないし９のいずれかに記載のフィルム引張要素。
【請求項１１】
前庭リング（１４）が水等の液体で充填可能であって、一種のウォーターベッドのような柔軟性の中空部材（５２）を備えることを特徴とする請求項１ないし１０のいずれかに記載のフィルム引張要素。
【請求項１２】
吸収性であるとともに液体を吸収した際に膨潤可能である材料を含んだクッションを、前庭リング（１４）が備えることを特徴とする請求項１ないし１１のいずれかに記載のフィルム引張要素。
【請求項１３】
前庭リング（１４）が発泡材あるいはその他の柔軟性材料を有するクッションを備えることを特徴とする請求項１ないし１２のいずれかに記載のフィルム引張要素。
【請求項１４】
前庭リング（１４）が、液体を外側から内側に透過させるとともに内側から外側に向かっては遮断する薄膜によって被覆されたクッションを備えることを特徴とする請求項１ないし１３のいずれかに記載のフィルム引張要素。
【請求項１５】
前庭リング（１４）を始点にしてフィルム引張要素（１０）から離間する方向に延在する舌抑えつけ具が前庭リング（１４）上に成形されることを特徴とする請求項１ないし１４のいずれかに記載のフィルム引張要素。
【請求項１６】
フィルム（１６）上あるいは前庭リング（１４）上あるいは口唇リング（１２）上で半径方向内側に向かって患者の舌のための遊び要素が取り付けられ、それが刺激によって舌を引きつけるために設定されることを特徴とする請求項１ないし１５のいずれかに記載のフィルム引張要素。
【請求項１７】
リング、特に楕円形に変形された前庭リング（１４）が、半径方向外側に向かって作用する引張力を強化あるいは減衰するために少なくとも１個の平坦化部分あるいは湾曲部を少なくとも１つの所与の位置上に非対称式に備えることを特徴とする請求項１ないし１６のいずれかに記載のフィルム引張要素。
【請求項１８】
前庭リング（１４）が断面において非円形に形成されていて、特にリング軸に対して斜めに延在していて面取りされた角部を有する実質的に四角形あるいは台形の断面を有し、それが特に少なくとも半径方向外側に向かって緩衝されることを特徴とする請求項１ないし１７のいずれかに記載のフィルム引張要素。
【請求項１９】
前庭リング（１４）のクッションとしてフィルム（１６）の膨隆部が形成されることを特徴とする請求項１ないし１８のいずれかに記載のフィルム引張要素。
【請求項２０】
フィルム（１６）が前庭リング（１４）に対して摺動不可能に保持されていて、その前庭リングを少なくとも２分の１、好適には約４分の３あるいは完全に被包することを特徴とする請求項１ないし１９のいずれかに記載のフィルム引張要素。
【請求項２１】
前庭リング（１４）が帯形状に形成され、帯の長軸がリング（１４）の軸（２２）に対して４５°あるいはそれ未満の角度をもって延在し、また前記帯が本質的な前庭リング（１４）に比べて軟質の材料からなるクッションによって包囲されることを特徴とする請求項１ないし２０のいずれかに記載のフィルム引張要素。
【請求項２２】
前庭リング（１４）ならびに、特にさらに口唇リング（１２）が調節装置を備えていて、それを介してリングの長さと、さらにその結果リングによって引張される開口窪みの大きさが変更可能になることを特徴とする請求項１ないし２１のいずれかに記載のフィルム引張要素。
【国際調査報告】
2017522954.tif 000013
2017522954.tif 000014
2017522954.tif 000015
2017522954.tif 000016
2017522954.tif 000017
2017522954.tif 000018